(57)【要約】      （修正有）【課題】容器の形状、キャップ形状や色を、内容物の種類により予め変えることなく、どのような形状容器であってもそれら容器の識別（例えば、シャンプーとリンスの区別等）に使用できる容器識別シールセットを提供する。【解決手段】容器識別シールセットは、台紙と、該台紙に剥離可能に貼付された防水性の複数のシャンプー識別シール４と、リンス識別シール５と、ボディーソープ識別シール６とからなる。シャンプー識別シール４と、リンス識別シール５と、ボディーソープ識別シール６をそれぞれ異なる模様とする。シャンプー識別シール４は、シャンプー液を充填する容器本体７ａと、容器本体７ａに取り付けられるノズル７ｃを有したヘットポンプ７ｂとからなるシャンプー容器７のヘットポンプ７ｂの上部面に貼付る。これにより、容易にシャンプー容器７を目視にて識別し易くなる。また、容器本体７ａ側面に貼付してもよい。【選択図】図２
0003148030.tif 000002
【実用新案登録請求の範囲】
【請求項１】
台紙と、前記台紙に剥離可能に貼付された防水性のシャンプー識別シールと、リンス識別シールと、ボディーソープ識別シールとからなり、前記シャンプー識別シールと、リンス識別シールと、ボディーソープ識別シールがそれぞれ異なる色又は形状或いは模様であることを特徴とする容器識別シールセット。
【請求項２】
前記シャンプー識別シールがローマ字Ｓ、前記リンス識別シールがローマ字Ｒ、前記ボディーソープ識別シールがローマ字Ｂの形状又は当該ローマ字である模様をシール表面に印刷し、区別したことを特徴とする請求項１に記載の容器識別シールセット。
【請求項３】
前記模様を、隆起又は陥没させて模様としたことを特徴とする請求項１、又は請求項２に記載の容器識別シールセット。
【請求項４】
前記各識別シールが、シャンプー、リンス、ボディーソープの各溶液が充填されたそれぞれの容器のヘットポンプ上面に、又は／及び前記各容器の側面に、それぞれ貼付されることを特徴とする請求項１〜請求項３の何れか１項に記載の容器識別シールセット。
【請求項５】
前記シャンプー識別シールが黒色、前記リンス識別シールがクリーム色、前記ボディーソープ識別シールが肌色であることを特徴とする請求項１〜請求項４の何れか１項に記載の容器識別シールセット。
【請求項６】
前記リンス識別シールに替えてシャンプー後に使用するコンディショナー容器を識別するコンディショナー識別シール、又はシャンプー、リンス、ボディーソープ識別シールに追加してコンディショナーを充填したコンディショナー容器を識別するコンディショナー識別シールを備えたことを特徴とする請求項１〜請求項５の何れか１項に記載の容器識別シールセット。
【考案の詳細な説明】
【技術分野】
【０００１】
本考案は、主に浴室などで使用するシャンプー、リンス（コンディショナー）、ボディーソープの容器の識別のために使用する容器識別シールセットに関する考案である。
【背景技術】
【０００２】
入浴、シャワー時に使用するシャンプー、リンス又はコンディショナー、ボディーソープは、シャンプー、リンス又はコンディショナー、ボディーソープが充填された容器本体に、手で上部をプッシュするとノズルから内容物が突出するヘットポンプが取り付けられた容器に入れられて使用される。
【０００３】
また、容器本体側面を手で押圧するとキャップ上部に設けられたキャップに出し入れ可能なノズルから内容物が突出する容器にいれられたものがある。また、容器本体上部に設けられたキャップに穿設された蓋で開閉可能になっている孔から、内容物を吐出させるものもある。
【０００４】
しかし、それら容器の形状、ヘットポンプ、ノズル、キャップは、同一メーカーでなくとも類似しており、内容物の判別が困難な場合があり、内容物を取り違えてしまうことがある。また、容器側面には、シャンプー、リンスと記載されているものの、小さな文字、英語であったりして、若年、年配者には認識できないことがよくある。加えて、洗髪時は、目を開けないことが多く、さらに湯気などもあり、容器の目視が困難である。
【０００５】
それら内容物を充填するメーカーによっては、ヘットポンプの色を変えてあることがあり、ヘットポンプの色により内容物を認識することができることがある。しかし、常に、同一メーカーのシャンプー、リンス等を毎回使用するものでもない。従って、ヘットポンプの色によってのみ識別することは、あまり意味をなさない。また、色と内容物との関連性がなく、どの色がどの内容物であるかを記憶していることもまずない。
【０００６】
そこで、このような容器に識別性を付与する目的で、キャップ自体の形状を変えた特許文献１に記載の入浴用洗剤類容器の洗剤類識別キャップ、特許文献２に記載の触覚式商品識別キャップ、特許文献３に記載のポンプ式液体吐出容器、特許文献３に記載の蓋付容器、特許文献５に記載のボトルキャップが公開されている。
【特許文献１】特開２００４−２５００８８号公報
【特許文献２】特開２００１−２４７１５３号公報
【特許文献３】実開平７−７７５８号公報
【特許文献４】実開平１−１７９８６１号公報
【特許文献５】登実３０５０１１０号公報
【考案の開示】
【考案が解決しようとする課題】
【０００７】
しかし、特許文献１〜５は何れも、容器本体に設けるキャップの形状そのものをもともと異なる形状にしたもので、個人が購入した市販のシャンプー、リンス、ボディーソープ容器に使用できる手段ではない。
【０００８】
そこで、本考案は、容器の形状、キャップ形状、それら色を予め変えることなく、或いは容器に別途凹凸などの模様を予め形成することなく、どのような形状のシャンプー、リンス（コンディショナー）、ボディーソープ容器であっても、それら容器の識別に使用できる容器識別シールセットを提供することを目的とする。
【課題を解決するための手段】
【０００９】
本考案は、上記の課題を解決するために、台紙と、前記台紙に剥離可能に貼付された防水性のシャンプー識別シールと、リンス識別シールと、ボディーソープ識別シールとからなり、前記シャンプー識別シールと、リンス識別シールと、ボディーソープ識別シールがそれぞれ異なる色又は形状或いは模様であることを特徴とする容器識別シールセットの構成とした。
【００１０】
前記シャンプー識別シールがローマ字Ｓ、前記リンス識別シールがローマ字Ｒ、前記ボディーソープ識別シールがローマ字Ｂの形状、又は当該ローマ字である模様をシール表面に印刷し、区別したことを特徴とする前記容器識別シールセットの構成とした。また、前記模様を、隆起又は陥没させて模様としたことを特徴とする前記何れかに記載の容器識別シールセットの構成とした。
【００１１】
前記各識別シールが、シャンプー、リンス、ボディーソープの各溶液が充填されたそれぞれの容器のヘットポンプ上面に、又は／及び前記各容器の側面に、それぞれ貼付されることを特徴とする前記何れかに記載の容器識別シールセットの構成とした。
【００１２】
前記シャンプー識別シールが黒色、前記リンス識別シールがクリーム色、前記ボディーソープ識別シールが肌色であることを特徴とする前記何れかに記載の容器識別シールセットの構成とした。
【００１３】
さらに、前記リンス識別シールに替えてシャンプー後に使用するコンディショナー容器を識別するコンディショナー識別シール、又はシャンプー、リンス、ボディーソープ識別シールに追加してコンディショナーを充填したコンディショナー容器を識別するコンディショナー識別シールを備えたことを特徴とする前記何れかに記載の容器識別シールセットの構成とした。
【考案の効果】
【００１４】
本考案の容器識別シールセットは、上記構成であるから、次の効果を発揮する。第１に、シャンプー、リンス（コンディショナー）、ボディーソープを識別し易くし、どのような容器、キャップ、ヘットポンプであっても使用できる。
【００１５】
シャンプー（Ｓ）、リンス（Ｒ）、（コンディショナー（Ｃ））、ボディーソープ（Ｂ）が表示されるので、単に内容物との関連性がない色、形状と異なり、内容物と関連付けることができ、記憶し易く、使用するそれらメーカー（容器色、形状）が変わっても、いつも同じ識別方法を採用することができ、内容物の取り違えが起こり難い。さらに、色、前記文字以外の模様を付けることで、識別性が一層増す。また、模様が、凹凸形状であれば、触覚によっても識別できる。加えて、それら各シールを容器側面にも貼付することで、容器が高い位置に設置されていても、認識性を維持することができる。また、シール色を使用する部分の色と関連ずけて、シャンプーは黒、リンス（コンディショナー）はクリーム色、ボディーソープは肌色（アイボリー或いはペールオレンジ）とすれば、関連ずけ、記憶が容易になる。
【００１６】
シャンプー、リンス、（コンディショナー（Ｃ））、ボディーソープを識別するシールが、一枚の台紙に貼付されているので、保管、管理が容易で、遺失しにくい。
【考案を実施するための最良の形態】
【００１７】
以下、添付図面に基づき、本考案である容器識別シールセットについて詳細に説明する。
【実施例１】
【００１８】
図１は、本考案である容器識別シールセットの斜視図（Ａ）と識別シール（Ａ−Ａ）の拡大断面図（Ｂ）である。
【００１９】
本考案の第１の実施形態である容器識別シールセット１は、台紙２と、台紙２に剥離可能に貼付された防水性の複数のシャンプー識別シール４と、リンス識別シール５と、ボディーソープ識別シール６とからなる。シャンプー識別シール４と、リンス識別シール５と、ボディーソープ識別シール６がそれぞれ異なる模様である。
【００２０】
即ち、シャンプー識別シール４がローマ字Ｓ、リンス識別シール５がローマ字Ｒ、ボディーソープ識別シール６がローマ字Ｂの文字をシール表面に印刷して、それぞれ内容物を区別している。さらに、背景色、模様もそれぞれ異なる。例えば、シャンプー識別シール４が髪をイメージする黒色、リンスがクリーム色、ボディーソープが日本人の肌の色である肌色とすることで、使用場所と関連付けて、記憶しやすい。また、背景でなく、ローマ字そのものの色を前記色セットにしてもよい。また、文字をエンボス調に隆起させてもよい。
【００２１】
図１（Ｂ）に示したように、ボディーソープ識別シール６、他各シールは、台紙２、容器キャップに貼り付くシール部６ｃと、印刷６ｅが施される印刷面６ｄとからなる。印刷６ｅ、又は印刷面６ｄには、防水加工が施され、浴室などの水環境での耐水性がある。
【００２２】
各識別シールは、それぞれ個別に作成し、台紙２に貼付しても、一枚のシールを台紙２に貼付し、その各識別シールを打ち抜き、不要な部分を枠シール３としてもよい。
【００２３】
また、リンス識別シール５に替えてシャンプー後に使用するコンディショナー容器を識別するコンディショナー識別シール、又はシャンプー、リンス、ボディーソープ識別シールに追加してコンディショナーを充填したコンディショナー容器を識別するコンディショナー識別シールを備えてもよい。その場合の異なる識別模様は、ローマ字Ｃとすればよい。コンディショナーの色は、黒、クリーム色、肌色とことなる色を選択すればよい。
【００２４】
図２は、本考案である容器識別シールセットの第２の実施形態の斜視図である。図２に示すように、シャンプー識別シール４は、シャンプー液を充填する容器本体７ａと、容器本体７ａに取り付けられるノズル７ｃを有したヘットポンプ７ｂとからなるシャンプー容器７のヘットポンプ７ｂの上部面に貼付される。これにより、容易にシャンプー容器７を目視にて識別し易くなる。また、容器本体７ａ側面に貼付してもよい。
【００２５】
また、リンス識別シール５は、リンス液を充填する容器本体８ａと、容器本体８ａに取り付けられるノズル８ｃを有したヘットポンプ８ｂとからなるシャンプー容器８のヘットポンプ８ｂの上部面に貼付される。これにより、容易にリンス容器８を目視にて識別し易くなる。また、容器本体８ａ側面に貼付してもよい。
【００２６】
ボディーソープ識別シール６は、ボディーソープ液を充填する容器本体９ａと、容器本体９ａに取り付けられるノズル９ｃを有したヘットポンプ９ｂとからなるシャンプー容器９のヘットポンプ９ｂの上部面に貼付される。これにより、容易にボディーソープ容器９を目視にて識別し易くなる。また、容器本体９ａ側面に貼付してもよい。
【００２７】
このように、容器本体が類似、同一であっても、本発明の構成である各識別シールを貼付するだけで、各容器の識別性が増し、内容物を取り違えることが少なくなる。
【実施例２】
【００２８】
図３は、本考案である容器識別シールセット第２の実施形態の斜視図である。本考案の第２実施形態である容器識別シールセット１ａは、台紙２と、台紙２に剥離可能に貼付された防水性の複数のシャンプー識別シール４ａと、リンス識別シール５ａと、ボディーソープ識別シール６ａとからなる。シャンプー識別シール４ａと、リンス識別シール５ａと、ボディーソープ識別シール６ａには、それぞれ異なる模様が印刷されている。縞模様をエンボス加工、陥没、ドット表示してもよい。また本考案の模様はこれらに限定されることなく、
【００２９】
即ち、  図３の容器識別シールセット１ａは、実施例１の各識別シール４、５、６及び枠シール３に、それぞれ異なる縞模様４ｂ、５ｂ、６ｂを印刷したものである。この異なる模様は、縞模様に限らず、シャンプー識別シール、リンス（コンディショナー）識別シール、ボディーソープ識別シールがそれぞれ、異なる形状（凹凸を含む）、模様（色）であればよい。これにより、より一層、各溶液を充填される容器の識別性が増す。実施例１と同様に、シャンプー、リンス、ボディーソープのヘットポンプの上面、或いは容器本体の側面に貼付される。
【図面の簡単な説明】
【００３０】
【図１】本考案である容器識別シールセットの斜視図（Ａ）と識別シール（Ａ−Ａ）の拡大断面図（Ｂ）である。
【図２】本考案である第１の実施形態の容器識別シールセットの使用図である。
【図３】本考案である容器識別シールセット第２の実施形態の斜視図である。
【符号の説明】
【００３１】
１      容器識別シールセット
１ａ    容器識別シールセット
２      台紙
３      枠シール
４      シャンプー識別シール
４ａ    シャンプー識別シール
４ｂ    模様
５      リンス識別シール
５ａ    リンス識別シール
５ｂ    模様
６      ボディーソープ識別シール
６ａ    ボディーソープ識別シール
６ｂ    模様
６ｃ    シール部
６ｄ    印刷面
６ｅ    印刷
７      シャンプー容器
７ａ    容器本体
７ｂ    ヘットポンプ
７ｃ    ノズル
８      リンス容器
８ａ    容器本体
８ｂ    ヘットポンプ
８ｃ    ノズル
９      ボディーソープ容器
９ａ    容器本体
９ｂ    ヘットポンプ
９ｃ    ノズル
【図１】
0003148030.tif 000003
【図２】
0003148030.tif 000004
【図３】
0003148030.tif 000005